(57)【要約】【課題】  専用のネットワーク構築が必要でなく、しかもセキュリティ上の問題の少ない緊急通信システムを提供する。【解決手段】  病院コンピュータ２からは、アドレス信号が所定間隔で救急車コンピュータ４に与えられている。患者データの送信を行う場合には、救急車コンピュータ４の開始認識可能信号送信手段２０が、アドレス信号に応答して、送信開始認識可能信号を病院コンピュータ２に返信する。救急車コンピュータ４のデータ送信手段２２は、これに接続された心電計やカメラなどによって取得した患者データを、病院コンピュータ４からのアドレス信号に対する返信として送信する。病院コンピュータ２のデータ受信手段１２は、このようにして送信されてきた患者データを受信して取得する。【選択図】  図２
2011029898.tif 000002
【特許請求の範囲】
【請求項１】
医療機関において使用される医療機関コンピュータと救急車に搭載された救急車コンピュータとを備えた救急通信システムであって、
前記医療機関コンピュータは、
各救急車コンピュータを識別するため、各救急車コンピュータに割り当てられた識別アドレスを記録する記録部と、
救急車コンピュータと通信するための通信部と、
記録部に記録された各救急車コンピュータの識別アドレスを用い、通信部を介して、各救急車コンピュータに対し、動的な識別アドレスに変換される識別アドレスを含むアドレス信号を送信するアドレス信号送信手段と、
通信部を介して、救急車コンピュータから送信されてくる患者データを受信するデータ受信手段とを備え、
前記救急車コンピュータは、
医療機関コンピュータと通信するための通信部と、
救急車コンピュータの要求にて患者データを送信する場合、通信部を介して、医療機関コンピュータからのアドレス信号を受けた時に、これに対する返信として、当該アドレス信号に含まれる医療機関コンピュータの前記動的な識別アドレスを用いて、医療機関コンピュータに対して送信開始認識可能信号を送信する開始認識可能信号送信手段と、
通信部を介して、医療機関コンピュータに対して送信開始認識可能信号を送信した後に、医療機関コンピュータからのアドレス信号に対する返信として、当該アドレス信号に含まれる医療機関コンピュータの前記動的な識別アドレスを用いて、当該医療機関コンピュータに対して、患者データを送信するデータ送信手段と、
を備えることを特徴とする救急通信システム。
【請求項２】
各救急車コンピュータを識別するため、各救急車コンピュータに割り当てられた識別アドレスを記録する記録部と、
救急車コンピュータと通信するための通信部と、
記録部に記録された各救急車コンピュータの識別アドレスを用い、通信部を介して、各救急車コンピュータに対し、動的な識別アドレスに変換される識別アドレスを含むアドレス信号を送信するアドレス信号送信手段と、
通信部を介して、救急車コンピュータから送信されてくる患者データを受信するデータ受信手段と、
を備えた医療機関コンピュータ。
【請求項３】
医療機関コンピュータと通信するための通信部と、
救急車コンピュータの要求にて患者データを送信する場合、通信部を介して、医療機関コンピュータからのアドレス信号を受けた時に、これに対する返信として、当該アドレス信号に含まれる医療機関コンピュータの前記動的な識別アドレスを用いて、医療機関コンピュータに対して送信開始認識可能信号を送信する開始認識可能信号送信手段と、
通信部を介して、医療機関コンピュータに対して送信可能認識信号を送信した後に、医療機関コンピュータからのアドレス信号に対する返信として、当該アドレス信号に含まれる医療機関コンピュータの前記動的な識別アドレスを用いて、当該医療機関コンピュータに対して、患者データを送信するデータ送信手段と、
を備える救急車コンピュータ。
【請求項４】
各救急車コンピュータを識別するため、各救急車コンピュータに割り当てられた識別アドレスを記録するための記録部と、救急車コンピュータと通信するための通信部とを有する医療機関コンピュータを、
記録部に記録された各救急車コンピュータの識別アドレスを用い、通信部を介して、各救急車コンピュータに対し、動的な識別アドレスに変換される識別アドレスを含むアドレス信号を送信するアドレス信号送信手段、
通信部を介して、救急車コンピュータから送信されてくる患者データを受信するデータ受信手段、
として機能させるための医療機関プログラム。
【請求項５】
医療機関コンピュータと通信するための通信部を有する救急車コンピュータを、
救急車コンピュータの要求にて患者データを送信する場合、通信部を介して、医療機関コンピュータからのアドレス信号を受けた時に、これに対する返信として、当該アドレス信号に含まれる医療機関コンピュータの前記動的な識別アドレスを用いて、医療機関コンピュータに対して送信開始認識可能信号を送信する開始認識可能信号送信手段、
通信部を介して、医療機関コンピュータに対して送信可能認識信号を送信した後に、医療機関コンピュータからのアドレス信号に対する返信として、当該アドレス信号に含まれる医療機関コンピュータの前記動的な識別アドレスを用いて、当該医療機関コンピュータに対して、患者データを送信するデータ送信手段、
として機能させるための救急車プログラム。
【請求項６】
請求項１〜５のいずれかのシステム、装置またはプログラムにおいて、
前記医療機関コンピュータは、
医療機関コンピュータの要求にて患者データを送信する場合、記録部に記録された対象とする救急車コンピュータの識別アドレスを用い、通信部を介して、当該対象とする救急車コンピュータに対し、データ送信開始指令を送信する送信開始指令手段を備え、
前記救急車コンピュータの前記データ送信手段は、
医療機関コンピュータからのデータ送信開始指令に続いて送られてくるアドレス信号に対する返信として、または医療機関コンピュータに対して送信可能認識信号を送信した後に送られてくるアドレス信号に対する返信として、当該アドレス信号に含まれる医療機関コンピュータの前記動的な識別アドレスを用いて、当該医療機関コンピュータに対して、通信部を介して、患者データを送信するデータ送信手段を備えたことを特徴とするもの。
【請求項７】
請求項６のシステム、装置またはプログラムにおいて、
前記救急車コンピュータは、医療機関コンピュータからのアドレス信号を受け、患者データを当該医療機関コンピュータに送信可能かどうかという状態を、アドレス信号に対する返信として、当該アドレス信号に含まれる医療機関コンピュータの前記動的な識別アドレスを用いて、当該医療機関コンピュータに対して、通信部を介して、返信する状態返信手段を備えることを特徴とするもの。
【請求項８】
請求項１〜７のいずれかのシステム、装置またはプログラムにおいて、
前記救急車コンピュータは、
前記通信部によってインターネットのアクセスポイントに接続する接続手段と、
前記アクセスポイントとの通信のない状態が継続する場合には、前記接続が遮断されることを防止するため、所定時間ごとに接続確立のためのダミーパケットを、通信部によって送信するダミーパケット送信手段と、
を備えることを特徴とするもの。
【請求項９】
請求項１〜８のいずれかのシステム、装置またはプログラムにおいて、
前記各救急車コンピュータに割り当てられた識別アドレスは、前記医療機関コンピュータと通信可能な救急車識別アドレスサーバ装置から、前記医療機関コンピュータが取得するものであることを特徴とするもの。
【請求項１０】
請求項１〜９のいずれかのシステム、装置またはプログラムにおいて、
前記各救急車コンピュータの識別アドレスは、グローバルＩＰアドレスであり、
前記医療機関コンピュータの識別アドレスは、ローカルＩＰアドレスであること
を特徴とするもの。
【請求項１１】
医療機関において使用される医療機関コンピュータと救急車に搭載された救急車コンピュータとを用いた救急通信方法であって、
前記医療機関コンピュータは、
各救急車コンピュータを識別するため、各救急車コンピュータに割り当てられた識別アドレスを記録部に記録しており、
記録部に記録された各救急車コンピュータの識別アドレスを用い、各救急車コンピュータに対し、動的な識別アドレスに変換される識別アドレスを含むアドレス信号を送信し、
救急車コンピュータから送信されてくる患者データを受信し、
前記救急車コンピュータは、
救急車コンピュータの要求にて患者データを送信する場合、医療機関コンピュータからのアドレス信号を受けた時に、これに対する返信として、当該アドレス信号に含まれる医療機関コンピュータの前記動的な識別アドレスを用いて、医療機関コンピュータに対して送信開始認識可能信号を送信し、
医療機関コンピュータに対して送信開始認識可能信号を送信した後に、医療機関コンピュータからのアドレス信号に対する返信として、当該アドレス信号に含まれる医療機関コンピュータの前記動的な識別アドレスを用いて、当該医療機関コンピュータに対して、患者データを送信すること
を特徴とする救急通信方法。
【請求項１２】
医療機関において使用される医療機関コンピュータと救急車に搭載された救急車コンピュータとを備えた救急通信システムであって、
前記医療機関コンピュータは、
各救急車コンピュータを識別するため、各救急車コンピュータに割り当てられた識別アドレスを記録する記録部と、
救急車コンピュータと通信するための通信部と、
記録部に記録された各救急車コンピュータの識別アドレスを用い、通信部を介して、各救急車コンピュータに対し、動的な識別アドレスに変換される識別アドレスを含むアドレス信号を送信するアドレス信号送信手段と、
医療機関コンピュータの要求にて患者データを送信する場合、記録部に記録された対象とする救急車コンピュータの識別アドレスを用い、通信部を介して、当該対象とする救急車コンピュータに対し、動的な識別アドレスに変換される識別アドレスを含むデータ送信開始指令を送信する送信開始指令手段と、
通信部を介して、救急車コンピュータから送信されてくる患者データを受信するデータ受信手段とを備え、
前記救急車コンピュータは、
医療機関コンピュータと通信するための通信部と、
医療機関コンピュータからのデータ送信開始指令に続いて送られてくるアドレス信号に対する返信として、当該アドレス信号に含まれる医療機関コンピュータの前記動的な識別アドレスを用いて、当該医療機関コンピュータに対して、通信部を介して、患者データを送信するデータ送信手段と、
を備えることを特徴とする救急通信システム。
【請求項１３】
各救急車コンピュータを識別するため、各救急車コンピュータに割り当てられた識別アドレスを記録する記録部と、
救急車コンピュータと通信するための通信部と、
記録部に記録された各救急車コンピュータの識別アドレスを用い、通信部を介して、各救急車コンピュータに対し、動的な識別アドレスに変換される識別アドレスを含むアドレス信号を送信するアドレス信号送信手段と、
医療機関コンピュータの要求にて患者データを送信する場合、記録部に記録された対象とする救急車コンピュータの識別アドレスを用い、通信部を介して、当該対象とする救急車コンピュータに対し、動的な識別アドレスに変換される識別アドレスを含むデータ送信開始指令を送信する送信開始指令手段と、
通信部を介して、救急車コンピュータから送信されてくる患者データを受信するデータ受信手段と、
を備えた医療機関コンピュータ。
【請求項１４】
医療機関コンピュータと通信するための通信部と、
医療機関コンピュータからのデータ送信開始指令に続いて送られてくるアドレス信号に対する返信として、当該アドレス信号に含まれる医療機関コンピュータの前記動的な識別アドレスを用いて、当該医療機関コンピュータに対して、通信部を介して、患者データを送信するデータ送信手段と、
を備えた救急車コンピュータ。
【請求項１５】
各救急車コンピュータを識別するため、各救急車コンピュータに割り当てられた識別アドレスを記録するための記録部と、救急車コンピュータと通信するための通信部とを有する医療機関コンピュータを、
記録部に記録された各救急車コンピュータの識別アドレスを用い、通信部を介して、各救急車コンピュータに対し、動的な識別アドレスに変換される識別アドレスを含むアドレス信号を送信するアドレス信号送信手段、
医療機関コンピュータの要求にて患者データを送信する場合、記録部に記録された対象とする救急車コンピュータの識別アドレスを用い、通信部を介して、当該対象とする救急車コンピュータに対し、動的な識別アドレスに変換される識別アドレスを含むデータ送信開始指令を送信する送信開始指令手段、
通信部を介して、救急車コンピュータから送信されてくる患者データを受信するデータ受信手段、
として機能させるための医療機関プログラム。
【請求項１６】
医療機関コンピュータと通信するための通信部を有する救急車コンピュータを、
医療機関コンピュータからのデータ送信開始指令に続いて送られてくるアドレス信号に対する返信として、当該アドレス信号に含まれる医療機関コンピュータの前記動的な識別アドレスを用いて、当該医療機関コンピュータに対して、通信部を介して、患者データを送信するデータ送信手段、
として機能させるための救急車プログラム。
【請求項１７】
請求項１２〜１６のいずれかのシステム、装置またはプログラムにおいて、
前記救急車コンピュータは、医療機関コンピュータからのアドレス信号を受け、患者データを当該医療機関コンピュータに送信可能かどうかという状態を、アドレス信号に対する返信として、当該アドレス信号に含まれる医療機関コンピュータの前記動的な識別アドレスを用いて、当該医療機関コンピュータに対して、通信部を介して、返信する状態返信手段を備えることを特徴とするもの。
【請求項１８】
請求項１２〜１７のいずれかのシステム、装置またはプログラムにおいて、
前記救急車コンピュータは、
前記通信部によってインターネットのアクセスポイントに接続する接続手段と、
前記アクセスポイントとの通信のない状態が継続する場合には、前記接続が遮断されることを防止するため、所定時間ごとに接続確立のためのダミーパケットを、通信部によって送信するダミーパケット送信手段と、
を備えることを特徴とするもの。
【請求項１９】
請求項１２〜１８のいずれかのシステム、装置またはプログラムにおいて、
前記各救急車コンピュータに割り当てられた識別アドレスは、前記医療機関コンピュータと通信可能な救急車識別アドレスサーバ装置から、前記医療機関コンピュータが取得するものであることを特徴とするもの。
【請求項２０】
請求項１２〜１９のいずれかのシステム、装置またはプログラムにおいて、
前記各救急車コンピュータの識別アドレスは、グローバルＩＰアドレスであり、
前記医療機関コンピュータの識別アドレスは、ローカルＩＰアドレスであること
を特徴とするもの。
【請求項２１】
医療機関において使用される医療機関コンピュータと救急車に搭載された救急車コンピュータとを用いた救急通信方法であって、
前記医療機関コンピュータは、
各救急車コンピュータを識別するため、各救急車コンピュータに割り当てられた識別アドレスを記録部に記録しており、
記録部に記録された各救急車コンピュータの識別アドレスを用い、各救急車コンピュータに対し、動的な識別アドレスに変換される識別アドレスを含むアドレス信号を送信し、
医療機関コンピュータの要求にて患者データを送信する場合、記録部に記録された対象とする救急車コンピュータの識別アドレスを用い、当該対象とする救急車コンピュータに対し、動的な識別アドレスに変換される識別アドレスを含むデータ送信開始指令を送信し、
救急車コンピュータから送信されてくる患者データを受信し、
前記救急車コンピュータは、
医療機関コンピュータからのデータ送信開始指令に続いて送られてくるアドレス信号に対する返信として、当該アドレス信号に含まれる医療機関コンピュータの前記動的な識別アドレスを用いて、当該医療機関コンピュータに対して、患者データを送信する
ことを特徴とする救急通信方法。
【請求項２２】
医療機関において使用される医療機関コンピュータと救急車に搭載された救急車コンピュータとを備えた救急通信システムであって、
前記医療機関コンピュータは、
各救急車コンピュータを識別するため、各救急車コンピュータに割り当てられた識別アドレスを記録する記録部と、
救急車コンピュータと通信するための通信部と、
通信部を介して、救急車コンピュータから送信されてくる患者データを受信するデータ受信手段とを備え、
前記救急車コンピュータは、
医療機関コンピュータと通信するための通信部と、
前記通信部によってインターネットのアクセスポイントに接続する接続手段と、
前記アクセスポイントとの通信のない状態が継続する場合には、前記接続が遮断されることを防止するため、所定時間ごとに接続確立のためのダミーパケットを、通信部によって送信するダミーパケット送信手段と、
通信部を介して、医療機関コンピュータに対して、患者データを送信するデータ送信手段と、
を備えることを特徴とする救急通信システム。
【請求項２３】
医療機関コンピュータと通信するための通信部と、
前記通信部によってインターネットのアクセスポイントに接続する接続手段と、
前記アクセスポイントとの通信のない状態が継続する場合には、前記接続が遮断されることを防止するため、所定時間ごとに接続確立のためのダミーパケットを、通信部によって送信するダミーパケット送信手段と、
通信部を介して、医療機関コンピュータに対して、患者データを送信するデータ送信手段と、
を備えた救急車コンピュータ。
【請求項２４】
医療機関コンピュータと通信するための通信部を有する救急車コンピュータを、
前記通信部によってインターネットのアクセスポイントに接続する接続手段、
前記アクセスポイントとの通信のない状態が継続する場合には、前記接続が遮断されることを防止するため、所定時間ごとに接続確立のためのダミーパケットを、通信部によって送信するダミーパケット送信手段、
通信部を介して、医療機関コンピュータに対して、患者データを送信するデータ送信手段、
として機能させるための救急車プログラム。
【請求項２５】
請求項２２の救急車通信システムにおいて、
前記医療機関コンピュータは、記録部に記録された各救急車コンピュータの識別アドレスを用い、通信部を介して、各救急車コンピュータに対し、動的な識別アドレスに変換される識別アドレスを含むアドレス信号を送信するアドレス信号送信手段、
を備えることを特徴とする救急車通信システム。
【請求項２６】
請求項２２〜２５のいずれかのシステム、コンピュータまたはプログラムにおいて、
前記データ送信手段は、医療機関コンピュータからのアドレス信号に対する返信として、当該アドレス信号に含まれる医療機関コンピュータの動的な識別アドレスを用いて、当該医療機関コンピュータに対して、患者データを送信することを特徴とするもの。
【請求項２７】
医療機関において使用される医療機関コンピュータと救急車に搭載された救急車コンピュータとを用いた救急通信方法であって、
前記医療機関コンピュータは、
各救急車コンピュータを識別するため、各救急車コンピュータに割り当てられた識別アドレスを記録部に記録しており、
救急車コンピュータから送信されてくる患者データを受信し、
前記救急車コンピュータは、
インターネットのアクセスポイントに接続し、
前記アクセスポイントとの通信のない状態が継続する場合には、前記接続が遮断されることを防止するため、所定時間ごとに接続確立のためのダミーパケットを送信し、
医療機関コンピュータに対して、患者データを送信する
ことを特徴とする救急通信方法。
【発明の詳細な説明】
【技術分野】
【０００１】
この発明は、救急車において取得した患者の生体データなどの患者データを、病院などの医療機関に送信するための救急通信システムに関するものである。
【背景技術】
【０００２】
救急車にて患者を搬送している際に、患者の心電図を取得することが提案されている。いち早く患者の状態を取得することで、病院への搬送後の治療に役立てるためである。このような用途に適合するものとして、たとえば、携帯型の解機能付き多機能心電計（大日本住友製薬(株)のレーダーサーク（商標）など）が用いられている。
さらに、救急車にて搬送中の患者について、病院から遠隔にて医者から治療の指示を与えるため、救急車で搬送中の患者の状態を取得することが提案されている（特許文献１、２）。
【０００３】
また、救急車から病院への心電図などの送信のために図１に示すような送信システムが用いられている。救急車Ａ1、Ａ2には、心電計（図示せず）が搭載されている。また、救急車Ａ1、Ａ2には、心電計によって計測した心電情報を、病院に送信するための送信装置Ｓ1、Ｓ2が設けられている。送信装置Ｓ1、Ｓ2は、携帯電話回線を通じてインターネットのアクセスポイントに接続するためのデータ通信カードＦ1、Ｆ2を有している。
【０００４】
一方、病院Ｈには、固定ＩＰの付与されたコンピュータＣ1、Ｃ2、Ｃ3が設置されている。これらコンピュータＣ1、Ｃ2、Ｃ3は、専用ルータＲを介して、インターネットに接続されている。
【０００５】
救急車Ａ1、Ａ2から、病院ＨのコンピュータＣ1、Ｃ2、Ｃ3に対して、心電図データを送信する場合には、送信装置Ｓ1、Ｓ2は、まず、データ通信カードＦ1、Ｆ2により、インターネットにダイヤルアップ接続を行う。次に、可搬性記録媒体ＳＤ1、ＳＤ2に予め記録されている病院ＨのコンピュータＣ1、Ｃ2、Ｃ3のＩＰアドレスを取得する。そして、ＩＰアドレスを特定して、いずれかのコンピュータＣ1、Ｃ2、Ｃ3との通信を確立し、インターネットを介して、心電図データを送信する。
【先行技術文献】
【特許文献】
【０００６】
【特許文献１】特開平１１−１７８８００
【特許文献２】特開平１１−３３０００
【発明の概要】
【発明が解決しようとする課題】
【０００７】
上記図１に示すシステムでは、救急車Ａ1、Ａ2の側から呼び出しができるように、病院ＨのコンピュータＣ1、Ｃ2、Ｃ3に固定ＩＰアドレスを割り当てておき、救急車Ａ1、Ａ2の送信装置Ｓ1、Ｓ2から、この固定ＩＰアドレスに対して呼び出しを行うようにしている。したがって、病院ＨのコンピュータＣ1、Ｃ2、Ｃ3の固定ＩＰアドレスが何らかの要因で外部に漏れてしまうと、インターネットを介してアクセス可能となるというセキュリティ上の問題がある。特に、コンピュータＣ1、Ｃ2、Ｃ3が病院内のＬＡＮに接続されている場合には、当該ＬＡＮを介して他のコンピュータの情報（カルテなどの個人情報など）も取得されてしまうおそれがある。したがって、コンピュータＣ1、Ｃ2、Ｃ3は、他のコンピュータが接続されているＬＡＮとは別の専用のネットワークを構築しなければならなかった。
【０００８】
この発明は上記のような従来技術の問題点を解決して、専用のネットワーク構築が必要でなく、しかもセキュリティ上の問題の少ない緊急通信システムを提供することを目的とする。
【０００９】
また、セキュリティ上の問題などにより病院のコンピュータの側から救急車のコンピュータを呼び出すようにする場合には、救急車側のコンピュータは常にインターネットに接続されていなければならない。しかし、救急車側のコンピュータが、ダイヤルアップ接続にてインターネットに接続されている場合、データ通信がなされないと接続が切れてしまうという問題があった。
【００１０】
この発明は上記のような問題点を解決して、救急車側のコンピュータがダイヤルアップ接続にてインターネットに接続されている場合であっても、必要なデータ通信がなされるか否かに拘わらず接続を維持することのできる緊急通信システムを提供することを目的とする。
【課題を解決するための手段】
【００１１】
(1)この発明に係る救急通信システムは、
医療機関において使用される医療機関コンピュータと救急車に搭載された救急車コンピュータとを備えた救急通信システムであって、
前記医療機関コンピュータは、各救急車コンピュータを識別するため、各救急車コンピュータに割り当てられた識別アドレスを記録する記録部と、救急車コンピュータと通信するための通信部と、記録部に記録された各救急車コンピュータの識別アドレスを用い、通信部を介して、各救急車コンピュータに対し、動的な識別アドレスに変換される識別アドレスを含むアドレス信号を送信するアドレス信号送信手段と、通信部を介して、救急車コンピュータから送信されてくる患者データを受信するデータ受信手段とを備え、
前記救急車コンピュータは、医療機関コンピュータと通信するための通信部と、救急車コンピュータの要求にて患者データを送信する場合、通信部を介して、医療機関コンピュータからのアドレス信号を受けた時に、これに対する返信として、当該アドレス信号に含まれる医療機関コンピュータの前記動的な識別アドレスを用いて、医療機関コンピュータに対して送信開始認識可能信号を送信する開始認識可能信号送信手段と、通信部を介して、医療機関コンピュータに対して送信開始認識可能信号を送信した後に、医療機関コンピュータからのアドレス信号に対する返信として、当該アドレス信号に含まれる医療機関コンピュータの前記動的な識別アドレスを用いて、当該医療機関コンピュータに対して、患者データを送信するデータ送信手段とを備えることを特徴としている。
【００１２】
したがって、救急車コンピュータの側から呼び出しが可能であるとともに、医療機関コンピュータは、動的な識別アドレスに変換される識別アドレスを用いて救急車コンピュータと通信を行うので、外部からの意図しないアクセスを避けることができ、セキュリティ上の問題も少ない。
【００１３】
(6)この発明に係る救急通信システムは、医療機関コンピュータが、医療機関コンピュータの要求にて患者データを送信する場合、記録部に記録された対象とする救急車コンピュータの識別アドレスを用い、通信部を介して、当該対象とする救急車コンピュータに対し、データ送信開始指令を送信する送信開始指令手段を備え、救急車コンピュータの前記データ送信手段が、医療機関コンピュータからのデータ送信開始指令に続いて送られてくるアドレス信号に対する返信として、または医療機関コンピュータに対して送信可能認識信号を送信した後に送られてくるアドレス信号に対する返信として、当該アドレス信号に含まれる医療機関コンピュータの前記動的な識別アドレスを用いて、当該医療機関コンピュータに対して、通信部を介して、患者データを送信するデータ送信手段を備えたことを特徴としている。
【００１４】
したがって、医療機関の側からも呼び出しを行うことが可能となる。
【００１５】
(7)この発明に係る救急通信システムは、救急車コンピュータが、医療機関コンピュータからのアドレス信号を受け、患者データを当該医療機関コンピュータに送信可能かどうかという状態を、アドレス信号に対する返信として、当該アドレス信号に含まれる医療機関コンピュータの前記動的な識別アドレスを用いて、当該医療機関コンピュータに対して、通信部を介して、返信する状態返信手段を備えることを特徴としている。
【００１６】
したがって、医療機関コンピュータの側において、各救急車コンピュータの現在の状態を知ることができる。
【００１７】
(8)この発明に係る救急通信システムは、救急車コンピュータが、通信部によってインターネットのアクセスポイントに接続する接続手段と、アクセスポイントとの通信のない状態が継続する場合には、前記接続が遮断されることを防止するため、所定時間ごとに接続確立のためのダミーパケットを、通信部によって送信するダミーパケット送信手段とを備えることを特徴としている。
【００１８】
したがって、救急車コンピュータは、インターネットへの接続を継続することができ、再接続に時間をとられるおそれがない。
【００１９】
(9)この発明に係る救急通信システムは、各救急車コンピュータに割り当てられた識別アドレスが、前記医療機関コンピュータと通信可能な救急車識別アドレスサーバ装置から、前記医療機関コンピュータが取得するものであることを特徴としている。
【００２０】
したがって、救急車コンピュータの識別アドレスの追加や変更があった場合に、救急車識別アドレスサーバ装置の記録内容を変更するだけで対応することができる。
【００２１】
(10)この発明に係る救急通信システムは、各救急車コンピュータの識別アドレスが、グローバルＩＰアドレスであり、医療機関コンピュータの識別アドレス、ローカルＩＰアドレスであることを特徴としている。
【００２２】
(12)この発明に係る救急通信システムは、医療機関において使用される医療機関コンピュータと救急車に搭載された救急車コンピュータとを備えた救急通信システムであって、
前記医療機関コンピュータは、各救急車コンピュータを識別するため、各救急車コンピュータに割り当てられた識別アドレスを記録する記録部と、救急車コンピュータと通信するための通信部と、記録部に記録された各救急車コンピュータの識別アドレスを用い、通信部を介して、各救急車コンピュータに対し、動的な識別アドレスに変換される識別アドレスを含むアドレス信号を送信するアドレス信号送信手段と、医療機関コンピュータの要求にて患者データを送信する場合、記録部に記録された対象とする救急車コンピュータの識別アドレスを用い、通信部を介して、当該対象とする救急車コンピュータに対し、動的な識別アドレスに変換される識別アドレスを含むデータ送信開始指令を送信する送信開始指令手段と、通信部を介して、救急車コンピュータから送信されてくる患者データを受信するデータ受信手段とを備え、
前記救急車コンピュータは、医療機関コンピュータと通信するための通信部と、医療機関コンピュータからのデータ送信開始指令に続いて送られてくるアドレス信号に対する返信として、当該アドレス信号に含まれる医療機関コンピュータの前記動的な識別アドレスを用いて、当該医療機関コンピュータに対して、通信部を介して、患者データを送信するデータ送信手段とを備えることを特徴としている。
【００２３】
したがって、医療期間コンピュータの側から呼び出しが可能であるとともに、医療機関コンピュータは、動的な識別アドレスに変換される識別アドレスを用いて救急車コンピュータと通信を行うので、外部からの意図しないアクセスを避けることができ、セキュリティ上の問題も少ない。
【００２４】
(17)この発明に係る救急通信システムは、救急車コンピュータが、医療機関コンピュータからのアドレス信号を受け、患者データを当該医療機関コンピュータに送信可能かどうかという状態を、アドレス信号に対する返信として、当該アドレス信号に含まれる医療機関コンピュータの前記動的な識別アドレスを用いて、当該医療機関コンピュータに対して、通信部を介して、返信する状態返信手段を備えることを特徴としている。
【００２５】
したがって、医療機関コンピュータの側において、各救急車コンピュータの現在の状態を知ることができる。
【００２６】
(18)この発明に係る救急通信システムは、救急車コンピュータが、通信部によってインターネットのアクセスポイントに接続する接続手段と、アクセスポイントとの通信のない状態が継続する場合には、前記接続が遮断されることを防止するため、所定時間ごとに接続確立のためのダミーパケットを、通信部によって送信するダミーパケット送信手段とを備えることを特徴としている。
【００２７】
したがって、救急車コンピュータは、インターネットへの接続を継続することができ、再接続に時間をとられるおそれがない。
【００２８】
(19)この発明に係る救急通信システムは、各救急車コンピュータに割り当てられた識別アドレスが、前記医療機関コンピュータと通信可能な救急車識別アドレスサーバ装置から、前記医療機関コンピュータが取得するものであることを特徴としている。
【００２９】
したがって、救急車コンピュータの識別アドレスの追加や変更があった場合に、救急車識別アドレスサーバ装置の記録内容を変更するだけで対応することができる。
【００３０】
(20)この発明に係る救急通信システムは、各救急車コンピュータの識別アドレスが、グローバルＩＰアドレスであり、医療機関コンピュータの識別アドレスが、ローカルＩＰアドレスであることを特徴としている。
【００３１】
(22)この発明に係る救急通信システムは、医療機関において使用される医療機関コンピュータと救急車に搭載された救急車コンピュータとを備えた救急通信システムであって、
前記医療機関コンピュータは、各救急車コンピュータを識別するため、各救急車コンピュータに割り当てられた識別アドレスを記録する記録部と、救急車コンピュータと通信するための通信部と、通信部を介して、救急車コンピュータから送信されてくる患者データを受信するデータ受信手段とを備え、
前記救急車コンピュータは、医療機関コンピュータと通信するための通信部と、前記通信部によってインターネットのアクセスポイントに接続する接続手段と、前記アクセスポイントとの通信のない状態が継続する場合には、前記接続が遮断されることを防止するため、所定時間ごとに接続確立のためのダミーパケットを、通信部によって送信するダミーパケット送信手段と、通信部を介して、医療機関コンピュータに対して、患者データを送信するデータ送信手段とを備えることを特徴としている。
【００３２】
したがって、救急車コンピュータは、インターネットへの接続を継続することができ、再接続に時間をとられるおそれがない。
【００３３】
(26)この発明に係る救急通信システムは、データ送信手段が、医療機関コンピュータからのアドレス信号に対する返信として、当該アドレス信号に含まれる医療機関コンピュータの動的な識別アドレスを用いて、当該医療機関コンピュータに対して、患者データを送信することを特徴としている。
【００３４】
したがって、医療機関コンピュータは、動的な識別アドレスに変換される識別アドレスを用いて救急車コンピュータと通信を行うので、外部からの意図しないアクセスを避けることができ、セキュリティ上の問題も少ない。
【００３５】
この発明において、「識別アドレス」とは、通信のためにコンピュータなどを特定するためのアドレスをいい、実施形態では、ＩＰアドレスがこれに該当する。また、ＩＰアドレスにポート番号が含まれる場合には、ポート番号を含んだものがこれに該当する。
【００３６】
「アドレス信号送信手段」とは、少なくとも自らの識別アドレスを含む信号を送信する手段をいい、実施形態においては、図８の状態Ｋ１に示す状態要求送信処理がこれに対応する。
【００３７】
「データ受信手段」は、実施形態においては、図８の状態Ｋ５に示すデータ受信記録処理がこれに対応する。
【００３８】
「開始認識可能信号送信手段」とは、少なくとも送信開始認識可能信号を含む信号を送信する手段をいい、実施形態においては、図７の状態Ｊ４の送信開始通知返信処理がこれに対応する。
【００３９】
「送信開始認識可能信号」とは、少なくとも、受信した相手方においてデータ送信が開始されることを認識する信号をいい、実施形態においては「送信開始通知」がこれに該当する。また、「送信開始通知」を用いない場合に、一連のデータ送信の最初に送信したデータによって相手方がデータ送信の開始を認識する場合、当該最初に送信したデータもこれに該当する。
【００４０】
「データ送信手段」は、実施形態においては、図７の状態Ｊ６のデータ送信処理がこれに対応する。
【００４１】
「送信開始指令手段」は、実施形態においては、図８の状態Ｋ３の送信開始指令送信処理がこれに対応する。
【００４２】
「返信手段」は、アドレス信号に対して何らかの返信を行う手段をいう。「状態返信手段」は、アドレス信号に対して、自らの状態を返信する手段をいい、実施形態においては、図７の状態Ｊ１、Ｊ８の返信処理がこれに対応する。
【００４３】
「接続手段」は、実施形態においては、図７の状態Ｊ１０の接続処理がこれに対応する。
【００４４】
「ダミーパケット送信手段」は、実施形態においては、図７の状態Ｊ２のＰＩＮＧ送信処理がこれに対応する。
【００４５】
「ダミーパケット」とは、インターネットへの接続の維持を目的として送信するパケットをいう。
【００４６】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００４７】
【図１】従来の救急通信システムの構成図である。
【図２】この発明の一実施形態による救急通信システムの機能ブロック図である。
【図３】図２の救急通信システムのハードウエア構成図である。
【図４】病院コンピュータＣ11のハードウエア構成を示す図である。
【図５】救急車コンピュータＭＣ1のハードウエア構成を示す図である。
【図６】救急車の側からの操作によって患者データを送信する場合の処理の流れを示す図である。
【図７】救急車側制御プログラムによる処理を状態遷移図として示したものである。
【図８】病院側制御プログラムによる処理を状態遷移図として示したものである。
【図９】対象救急車一覧データの例を示す図である。
【図１０】救急車コンピュータＭＣ1のタッチパネルディスプレイ５２における表示例を示す図である。
【図１１】病院の側からの操作によって患者データを送信する場合の処理の流れを示す図である。
【図１２】各救急車コンピュータの状態を示すデータ例である。
【図１３】他の実施形態による救急通信システムのハードウエア構成図である。
【図１４】救急車識別アドレスサーバ装置ＡＳに記録された対象救急車一覧データの例を示す図である。
【発明を実施するための形態】
【００４８】
１．機能ブロック図
図２に、この発明の一実施形態による救急通信システムの機能ブロック図を示す。医療機関コンピュータである病院コンピュータ２と、救急車コンピュータ４とを備えて構成されている。なお、図においては、病院コンピュータ２、救急車コンピュータ４ともに一つだけ表示したが、それぞれ複数個配置されている。
【００４９】
病院コンピュータ２は、記録部６、アドレス信号送信手段８、送信開始指令手段１０、データ受信手段１２、通信部１４を備えている。救急車コンピュータ４は、通信部１６、返信手段１８、開始認識可能信号送信手段２０、データ送信手段２２を備えている。
【００５０】
この実施形態では、各救急車コンピュータ４には固定的な識別アドレスが付与されている。病院コンピュータ２にも識別アドレスが与えられている。しかし、この識別アドレスは、動的な識別アドレスに変換されて救急車コンピュータ４に与えられる。
【００５１】
病院コンピュータ２のアドレス信号送信手段８は、記録部６に記録されている各救急車コンピュータ４の識別アドレスを読み出し、各救急車コンピュータ４に対して、アドレス信号を通信部１４を介して送信する。このアドレス信号には、返信のため、病院コンピュータ２に対して割り当てられた識別アドレスの情報が含まれる。ただし、この識別アドレスは、救急車コンピュータ４に対しては、動的な識別アドレスに変換されて与えられる。
【００５２】
このアドレス信号を、通信部１６を介して受けた救急車コンピュータ４の返信手段１８は、少なくともアドレス信号を受け取ったことを、通信部１６を介して病院コンピュータ２に返信する。なお、救急車コンピュータ４は、アドレス信号を受け取っても、必要がある場合以外は何も返信しないようにしてもよい。
【００５３】
特に、患者データ（少なくとも患者の生体データを含むデータ）を送信する必要がない場合には、上記の処理が繰り返される。救急車コンピュータ４の側から病院コンピュータ２に対して患者データの送信を行う事を伝える場合には、次のようにして処理を行う。
【００５４】
アドレス信号を病院コンピュータ２から受け取ると、平常時であれば上記のように返信手段１８がこれに対して返信する。患者データの送信を行う場合には、救急車コンピュータ４の開始認識可能信号送信手段２０が、アドレス信号に応答して、送信開始認識可能信号を病院コンピュータ２に返信する。これにより、病院コンピュータ２は、引き続き、救急車コンピュータ４から患者データが送られてくることを知ることができる。
【００５５】
続いて、救急車コンピュータ４のデータ送信手段２２は、これに接続された心電計やカメラなどによって取得した患者データを、病院コンピュータ２からの返信要求である送信要求指令に対する返信として送信する。
【００５６】
病院コンピュータ２のデータ受信手段１２は、このようにして送信されてきた患者データを受信して取得する。
【００５７】
以上のようにして、救急車コンピュータ４からの要請をきっかけとして、病院コンピュータ２に対して患者データを送信することができる。
【００５８】
一方、この実施形態では、病院コンピュータ２からの要請をきっかけとして、患者データを送信することもできる。この場合、救急車コンピュータ４の返信手段１８は、病院コンピュータ２からのアドレス信号に対して、現在、患者データを送信可能な状態にあるか否かを返信することが好ましい。たとえば、当該救急車コンピュータ４が、他の病院コンピュータ２と患者データのやり取りを行っている最中であって確認元の病院コンピュータ２に対しては患者データを送信することができないビジー状態であるか、他の病院コンピュータ２とは患者データのやり取りを行っておらず確認元の病院コンピュータ２に対して患者データを送信することが可能であるウエイト状態であるかを返信する。これにより、病院コンピュータ２は、各救急車コンピュータ４が現在ビジー状態であるかウエイト状態であるかを知ることができる。
【００５９】
病院コンピュータ２の側から患者データの送信を求める場合、病院コンピュータ２の送信開始指令手段１０は、特定の救急車コンピュータ４（上記のウエイト状態にある救急車コンピュータ４のいずれか）に対し、送信開始指令を送信し、引き続いて送信要求指令を送信する。送信開始指令を受けた救急車コンピュータ４は、これにより、病院コンピュータ２が患者データの送信を求めていることを知る。したがって、救急車コンピュータ４のデータ送信手段２２は、送信開始指令に続いて送られてくる送信要求指令に対する返信として、患者データを送信する。
【００６０】
２．全体構成
図３に、図２の実施形態による救急通信システムを実現するための全体的な構成を示す。病院Ｈ1には、病院コンピュータＣ11、Ｃ12、Ｃ13が設けられている。これら病院コンピュータＣ11、Ｃ12、Ｃ13は、院内ローカルエリアネットワーク（ＬＡＮ）Ｌ1に接続されている。院内ローカルエリアネットワークＬ1には、これら病院コンピュータＣ11、Ｃ12、Ｃ13の他、患者のカルテなどを記録したコンピュータなども接続されている。病院コンピュータＣ11、Ｃ12、Ｃ13は、ルータＲ1、ファイアウオールＦＷ1を介して、インターネットＩＮに接続されている。
【００６１】
この実施形態では、ＨＴＴＰプロトコルを用い、ルータＲ1において、病院コンピュータＣ11、Ｃ12、Ｃ13に与えられたローカルＩＰアドレスを、グローバルＩＰアドレスに変換して、救急車コンピュータＡ1、Ａ2、Ａ3と通信を行うようにしている。
【００６２】
たとえば、病院コンピュータＣ11に与えられたローカルＩＰアドレスが「１１１．２３．ＸＸＸ．５６」であったとする。病院コンピュータＣ11が、救急車コンピュータＡ1に対して通信を行う場合、発信元のアドレスとしてローカルＩＰアドレス「１１１．２３．ＸＸＸ．５６」を付して送信する。これを受けたルータＲ1は、ローカルＩＰアドレス「１１１．２３．ＸＸＸ．５６」を、ルータＲ1のグローバルＩＰアドレス「１２３．３４．ＸＸＸ．３４：２００２」に変換して、救急車コンピュータＡ1に送信する。なお、「：２００２」は動的に付されるポート番号である。ルータＲ1は、ローカルＩＰアドレスとグローバルＩＰアドレスの対応テーブルを記録するので、救急車コンピュータＡ1からの返信を、正しく、病院コンピュータＣ11に与えることができる。
【００６３】
このように、病院コンピュータＣ11、Ｃ12、Ｃ13のＩＰアドレスが、外部に流出しない。したがって、外部からアクセスされる可能性の少ない構成とすることができる。
【００６４】
他の病院Ｈ2においても、同様の構成によって、病院コンピュータＣ21、Ｃ22、Ｃ23がインターネットＩＮに接続されている。なお、図においては、病院Ｈ1、Ｈ2のみを示したが、他にも病院が存在し同様の構成を有している。
【００６５】
救急車Ａ1には、患者の心電図を計測する心電計ＣＧ1などの機器が搭載されいている。心電計ＣＧ1等の出力は、救急車コンピュータＭＣ1に取り込まれている。救急車コンピュータＭＣ1は、携帯電話通信部を有しており、接続装置ＣＣを介して、インターネットＩＮに接続することができる。
【００６６】
他の救急車Ａ2、Ａ3も、同様の構成である。なお、図においては、救急車Ａ1、Ａ2、Ａ3のみを示したが、他にも救急車が存在し同様の構成を有している。
【００６７】
３．ハードウエア構成
(1)病院コンピュータのハードウエア構成
図４に、病院コンピュータＣ11のハードウエア構成を示す。ＣＰＵ３６には、メモリ３０、ディスプレイ３２、ＬＡＮ通信回路３４、ハードディスク３８、マウス／キーボード４０、ＣＤ−ＲＯＭドライブ４６が接続されている。メモリ３０は、ＣＰＵ３６のワークエリアとしての役割を有するものである。ＬＡＮ通信回路３４は、院内ローカルネットワークＬ1に接続するための回路である。マウス／キーボード４０は、操作者が指令などを入力するためのものである。
【００６８】
ハードディスク３８には、オペレーティングシステム（たとえば、マイクロソフト社のWINDOWS(商標)）４２、病院側制御プログラム４４、対象救急車一覧４５が記録されている。病院側制御プログラム４４は、オペレーティングシステム４２と協働してその機能を発揮するものである。なお、病院側制御プログラム４４は、オペレーティングシステム４２と協働せず、単独で機能を発揮するものとしてもよい。また、オペレーティングシステム４２，病院側制御プログラム４４ともに、ＣＤ−ＲＯＭ４８に記録されていたものを、ＣＤ−ＲＯＭドライブ４６を介してインストールしたものである。対象救急車一覧４５は、図９に示すように、その病院に患者を運び込む可能性のある救急車に搭載された救急車コンピュータのＩＰアドレスを記録したものである。
【００６９】
他の病院コンピュータのハードウエア構成も同様である。
【００７０】
(2)救急車コンピュータのハードウエア構成
図５に、救急車コンピュータＭＣ1のハードウエア構成を示す。ＣＰＵ６０には、メモリ５０、タッチパネルディスプレイ５２、携帯電話通信回路５４、ＣＤ−ＲＯＭドライブ５６、フラッシュメモリ６２、ＬＡＮ通信回路６８、ＵＳＢカメラ７４が接続されている。メモリ５０は、ＣＰＵ６０のワークエリアとしての役割を有するものである。タッチパネルディスプレイ５２は、操作者に対して情報を表示するとともに、指示を受け付けるものである。携帯電話通信回路５４は、携帯電話の回線を使用してデータ通信を行うための通信回路である。たとえば、ＮＴＴ株式会社のＦＯＭＡ（商標）カードを用いることができる。
【００７１】
ＬＡＮ通信回路６８には、心電計／血圧計７０や固定カメラ７２が接続されており、これらと通信を行ってデータのやり取りを行うものである。心電計／血圧計７０は、救急車にて搬送中の患者の心電図や血圧を測定するためのものであり、たとえば、大日本住友製薬株式会社のレーダーサーク（商標）を用いることができる。固定カメラは、救急車にて搬送中の患者の状態を撮像するために、救急車の所定の位置に固定されたカメラである。
【００７２】
ＵＳＢカメラ７４は、救急隊員のヘルメットなどに装着されたカメラであり、長いコード（あるいは無線通信）によって、救急車コンピュータＭＣ1と接続されている。ＵＳＢカメラにより、救急車に乗せるまでの（たとえば担架にて救急車まで搬送する途中の）患者の状況を撮像することができる。
【００７３】
フラッシュメモリ６２は、オペレーティングシステム６４、救急車側制御プログラム６６が記録されている。救急車側制御プログラム６６は、オペレーティングシステム６４と協働してその機能を発揮するものである。なお、救急車側制御プログラム６６は、オペレーティングシステム６４と協働せず、単独で機能を発揮するものとしてもよい。また、オペレーティングシステム６４，救急車側制御プログラム６６ともに、ＣＤ−ＲＯＭ５８に記録されていたものを、ＣＤ−ＲＯＭドライブ５６を介してインストールしたものである。
【００７４】
他の救急車コンピュータのハードウエア構成も同様である。
【００７５】
４．データ送信処理
(1)救急車の側からの操作による患者データの送信
図６に、救急車Ａ1の側からの操作をきっかけとして、病院に対して患者データを送信する場合の処理の流れを示す。図７に救急車側制御プログラム６６の状態遷移図を、図８に病院側制御プログラム４４の状態遷移図を示す。
【００７６】
この実施形態では、病院コンピュータの側から救急車コンピュータに対して、所定時間ごとにアドレス信号として状態要求を送信し、これに応じて、救急車コンピュータが現在の状況を返信するようにしている。
【００７７】
救急車Ａ1の救急車コンピュータＭＣ1を立ち上げると、ＣＰＵ６０は、携帯電話通信回路５４により、予め記録されているアクセスポイントに電話をかけ、インターネットに接続する（図７の状態Ｊ１０参照）。これにより、救急車コンピュータＭＣ1は、インターネットに接続された状態となる。
【００７８】
アクセスポイントへの接続が完了すると、救急車コンピュータＭＣ1は、図７に示す未接続（ウエイト）状態Ｊ３に入る。ここで、未接続状態とは、その救急車Ａ1が、いずれの病院とも患者データの送信中でない状態をいう。この状態において、救急車Ａ1のＣＰＵ６０は、各病院Ｈ1、Ｈ2から送られてくる状態要求を待っている。
【００７９】
一方、病院Ｈ2の病院コンピュータＣ22のＣＰＵ３６は、図８に示す状態要求送信状態Ｋ１にある。したがって、所定時間ごとに、予めハードディスク３８に記録されている対象救急車一覧の救急車に対し、順次そのＩＰアドレスを用いて、状態要求を送信する。この状態要求を行う際には、病院コンピュータＣ22は、自らのローカルＩＰアドレスを返信アドレスとして付加して送信する。このローカルＩＰアドレスは、ルータＲ2によって動的なグローバルＩＰアドレス（変換ＩＰアドレスと呼ぶ）に変換されて、救急車コンピュータＭＣ1に与えられる。
【００８０】
状態要求を受けた救急車コンピュータＭＣ1のＣＰＵ６０は、上記病院コンピュータＣ22の変換ＩＰアドレスに対して、現在の状態（＝未接続）を返信する（図７の状態Ｊ１参照）。ＣＰＵ６０は、返信を完了すると、未接続状態Ｊ３に戻る。
【００８１】
このように、救急車側も病院側も、患者搬送中でないときには、病院コンピュータＣ22からの状態要求に対して、救急車コンピュータＭＣ1が未接続状態を返信することを繰り返している。
【００８２】
なお、救急車コンピュータＭＣ1は、いずれかの病院から状態要求があると、これを受信して状態を返信するので、アクセスポイントを介してのインターネットへの接続が維持される。しかし、いずれの病院の病院コンピュータも電源がオフになっていれば、状態要求が届かないことになる。救急車コンピュータＭＣ1のアクセスポイントを介してのインターネットとのやり取りが、所定時間以上にわたって無い場合には、アクセスポイントへの電話接続が切断されてしまうことになる。一旦アクセスポイントへの接続が切断されると、再び、接続を確立するためには時間を要することになる。
【００８３】
そこで、この実施形態では、タイマを用いて１０秒間継続して病院コンピュータからの状態要求がない場合には、救急車コンピュータＭＣ1のＣＰＵ６０は、インターネットへの接続を維持するため、ダミーパケットを送信する。この実施形態では、仮想ＩＰアドレス（実在しないＩＰアドレス）に対してＰＩＮＧ信号を送信することでダミーパケットの送信を行っている（図７の状態Ｊ２参照）。ダミーパケットを送信すると、ＣＰＵ６０は１０秒を計測するためのタイマをリセットする。このようにして、いずれの病院コンピュータからも状態要求がない場合であっても、救急車コンピュータＭＣ1のインターネットへの接続を維持するようにしている。
【００８４】
次に、救急車Ａ1に患者が乗せられ、病院Ｈ2に向かったとする。この時に、救急車Ａ1に搭載された心電計ＣＧ1やカメラなどの患者データを、搬送中に病院Ｈ2の病院コンピュータＣ22に送る場合について説明する。
【００８５】
救急車コンピュータＭＣ1のＣＰＵ６０は、状態要求を送信してきた病院コンピュータがいずれであるかをメモリ５０に随時記録している。そして、図１０Ａに示すように、タッチパネルディスプレイ５２の画面に、状態要求を送信してきている病院コンピュータの一覧を表示する。救急車Ａ1の隊員（あるいは救急救命士）は、タッチパネルディスプレイ５２を操作し、これから向かおうとしている病院Ｈ2のコンピュータＣ21、Ｃ22、Ｃ23のいずれかを選択する。ここでは、コンピュータＣ22を選択したものとする。
【００８６】
病院コンピュータＣ22が選択されると、救急車コンピュータＭＣ1のＣＰＵ６０は、次に病院コンピュータＣ22から状態要求を受けたときに、これに対し送信開始通知を返信する（図６の(1)参照）。つまり、図７の状態Ｊ３から状態Ｊ４に移行する。
【００８７】
これを受けた病院コンピュータＣ22のＣＰＵ３６は、状態要求として送信開始指令を救急車コンピュータＭＣ1に送信する（図６の(2)参照）。つまり、図８の状態Ｋ２から状態Ｋ３に移行する。
【００８８】
これを受けた救急車コンピュータＭＣ1のＣＰＵ６０は、患者データが送信可能である旨を示す「許可」を返信する（図６の(3)参照）。つまり、図７の状態Ｊ４から状態Ｊ５に移行する。
【００８９】
許可を受けた病院コンピュータＣ22のＣＰＵ３６は、状態要求として送信要求指令を救急車コンピュータＭＣ1に送信する（図６の(4)参照）。つまり、図８の状態Ｋ３から状態Ｋ４に移行する。
【００９０】
救急車コンピュータＭＣ1は、送信要求指令を受けると、病院コンピュータＣ22に対し患者データを返信する（図６の(5)参照）。つまり、図７の状態Ｊ５から状態Ｊ６に移行する。
【００９１】
以下、病院コンピュータＣ22からの送信要求指令に対して、救急車コンピュータＭＣ1が患者データを返信するという処理を繰り返すことで、患者データの送信がなされ記録される。つまり、図７の状態Ｊ６の状態にある。なお、この実施形態では、患者データの送信間隔は、２００ミリ秒ごととし、伝送速度は１１５Ｋｂｐｓとした。
【００９２】
次に、救急車コンピュータＭＣ1の側からの操作により、患者データの送信を中止したい場合には、次のようにする。救急車Ａ1の隊員は、救急車コンピュータＭＣ1のタッチパネルディスプレイ５２に表示されている図１０Ｂの画面から、データ送信中止のボタンを押下する。
【００９３】
これにより、救急車コンピュータＭＣ1のＣＰＵ６０は、次に送られてくる送信要求指令に対し、送信終了通知を返信する（図６の(6)参照）。つまり、図７の状態Ｊ６から状態Ｊ７に移行する。
【００９４】
この送信終了通知を受けた病院コンピュータＣ22のＣＰＵ３６は、患者データ送信の終了を認識し、所定時間ごとに状態要求を送信する状態になる（図６の(7)参照）。つまり、図８の状態Ｋ４から状態Ｋ１に移行する。
【００９５】
状態要求を受けた救急車コンピュータＭＣ1のＣＰＵ６０は、これに対して、未接続状態である旨を返信する（図６の(8)参照）。つまり、図７の状態Ｊ７から状態Ｊ３に移行する。
【００９６】
上記の患者データ送信中においても、救急車コンピュータＭＣ1に対しては、他の病院コンピュータＣ11などからも状態要求がなされる。たとえば、図６の(10)に示すタイミングにて、病院Ｈ1の病院コンピュータＣ11から救急車コンピュータＭＣ1に状態要求がなされたとする。この時点において、救急車コンピュータＭＣ1は、他のコンピュータＣ22との間で患者データをやりとりしており、図７の接続状態（ビジー状態）にある。したがって、救急車コンピュータＭＣ1は、他のコンピュータと既に接続済みであるビジー状態である旨を返信する。
【００９７】
(2)病院の側からの操作による患者データの取得
上記では、救急車の側からの操作で病院を選択し、患者データを送信する場合について説明した。しかし、以下に説明するように、病院の側からの操作で救急車を選択し、患者データを取得することもできる。このときの処理の流れを図１１に示す。
【００９８】
ここでは、救急車Ａ1にて病院Ｈ2に向けて患者を搬送中に、その患者データを、病院Ｈ2側の操作によって取得したい場合について説明する。前述のように、病院コンピュータＣ22は、図９に記録されている対象救急車のそれぞれに対して、順次状態要求を行っている。病院コンピュータＣ22は、その返信を受けて、図１２に示すように、メモリ３０にこれを記録している。
【００９９】
図１２に示すように、救急車Ａ1、Ａ2は、現在未接続状態であり患者データの送信が可能であること、救急車Ａ4は現在他の病院コンピュータＣ12との間で患者データのやり取り中であって、病院コンピュータＣ22へは患者データの送信ができないことが記録されている。なお、救急車Ａ3は、電源オフあるいは携帯電話の圏外などの理由により、状態要求に対して所定時間内に返信がないことが記録されている。
【０１００】
病院コンピュータＣ22のＣＰＵ３６は、図１２に基づいて、各救急車コンピュータの状態を、ディスプレイ３２に表示する。病院コンピュータＣ22の操作者は、ディスプレイ３２の表示を見ながら、マウス／キーボード４０により、救急車Ａ1を選択する。
【０１０１】
これにより、病院コンピュータＣ22のＣＰＵ３６は、救急車Ａ1のコンピュータＭＣ1に対し、状態要求として送信開始指令を送信する（図１１の(21)参照）。すなわち、図８の状態Ｋ２から状態Ｋ３に移行する。
【０１０２】
これを受けた救急車コンピュータＭＣ1のＣＰＵ６０は、患者データが送信可能である旨を示す「許可」を返信する（図１１の(22)参照）。つまり、図７の状態Ｊ３から状態Ｊ５に移行する。
【０１０３】
許可を受けた病院コンピュータＣ22のＣＰＵ３６は、状態要求として送信要求指令を救急車コンピュータＭＣ1に送信する（図１１の(23)参照）。つまり、図８の状態Ｋ３から状態Ｋ４に移行する。
【０１０４】
救急車コンピュータＭＣ1は、送信要求指令を受けると、病院コンピュータＣ22に対し患者データを返信する（図１１の(24)参照）。つまり、図７の状態Ｊ５から状態Ｊ６に移行する。
【０１０５】
以下、病院コンピュータＣ22からの送信要求指令に対して、救急車コンピュータＭＣ1が患者データを返信するという処理を繰り返すことで、患者データの送信がなされ記録される。つまり、図７の状態Ｊ６の状態にある。
【０１０６】
次に、病院コンピュータＣ22の側からの操作により、患者データの取得を中止したい場合には、次のようにする。病院コンピュータＣ22の操作者は、ディスプレイ３２の表示を見ながら、マウス／キーボード４０を操作して、データ取得中止のボタンを選択する。
【０１０７】
これにより、病院コンピュータＣ22のＣＰＵ３６は、送信要求指令の送信を止め、状態要求を救急車コンピュータＭＣ1に送信する状態となる（図１１の(25)参照）。つまり、図８の状態Ｋ４から状態Ｋ１に遷移する。このようにして、患者データの送信が中止される。
【０１０８】
５．その他の実施形態
(1)上記実施形態では、救急車の側からの操作によって患者データの送信を開始し、終了するようにしている。また、病院の側からの操作によって患者データの送信を開始し、終了するようにしている。しかし、救急車の側からの操作によって患者データの送信を開始し、病院の側からの操作によって患者データの送信を終了するようにしてもよい。また、病院の側からの操作によって患者データの送信を開始し、救急車の側からの操作によって患者データの送信を終了するようにしてもよい。
【０１０９】
(2)上記実施形態では、仮想ＩＰアドレス（実在しないＩＰアドレス）に対してＰＩＮＧ信号を送信してダミーパケットの送信を行うことで、救急車コンピュータＭＣ1のＣＰＵ６０によるインターネットへの接続を維持するようにしている。
【０１１０】
しかし、回線を維持できるのであれば、ＴＣＰ／ＩＰやＬＣＰによるダミーパケットを送信するようにしてもよい。
【０１１１】
(3)上記実施形態では、図９に示す対象救急車一覧を、予め各病院コンピュータＣ11、Ｃ12・・・のハードディスク３８に記録するようにしている。しかし、図１３に示すように、インターネットＩＮに接続された救急車識別アドレスサーバ装置ＡＳを設け、各病院コンピュータＣ11、Ｃ12・・・から救急車識別アドレスサーバ装置ＡＳにアクセスして対象救急車一覧を取得するようにしてもよい。
【０１１２】
たとえば、救急車識別アドレスサーバ装置ＡＳには、図１４に示すような対象救急車一覧が記録されている。この一覧において、管区は消防署の管轄を示している。各病院コンピュータＣ11、Ｃ12・・・には、救急車識別アドレスサーバ装置ＡＳのＩＰアドレスが知らされているので、各病院コンピュータＣ11、Ｃ12・・・は、救急車識別アドレスサーバ装置ＡＳに対して、対象救急車一覧データの要求を送信し、返信としてそのデータを受け取ることができる。対象救急車一覧を受け取った各病院コンピュータＣ11、Ｃ12・・・は、自らの病院が属する管区の救急車に対して、状態要求を順次送信する。
【０１１３】
なお、各病院コンピュータＣ11、Ｃ12・・・から、所定時間ごと（たとえば１時間ごと）に、対象救急車一覧データの要求を救急車識別アドレスサーバ装置ＡＳに対して送信するようにすれば、対象救急車の台数や構成に変動があった場合、救急車識別アドレスサーバ装置ＡＳの対象救急車一覧データを更新するだけでよく、利便性が高い。
【０１１４】
(4)上記実施形態において、状態要求に対する返信データ中に、ＧＰＳ受信機によって取得した救急車の現在位置を含めるようにすれば、病院コンピュータにおいて、これをディスプレイ３２などに表示して、各救急車の位置を把握することもできる。
【０１１５】
(5)上記実施形態において、救急隊員のヘルメットに取り付けたカメラの画像を患者データとして送信してもよい。
【０１１６】
(6)上記各実施形態では、携帯電話通信回路５４を用いて、ダイヤルアップ接続によりインターネットとの接続を行っている。しかし、無線ＬＡＮなどを用いてインターネットとの接続を行うようにしてもよい。
【０１１７】
(7)上記実施形態では、救急車コンピュータから、または医療機関コンピュータからの、いずれの要求に基づいても患者データの送信を開始することができる。しかし、救急車コンピュータからの要求のみに基づいて患者データの送信を開始できるようにしてもよい。また、医療機関コンピュータからの要求のみに基づいて患者データの送信を開始できるようにしてもよい。
【０１１８】
(8)上記実施形態では、セキュリティの問題を考慮して、病院側のグローバルＩＰアドレスを救急車コンピュータに対して明らかにしていない。しかし、セキュリティの問題を考慮しないのであれば、図１に示す従来技術において、アクセスポイントにダミーパケットを送信するダミーパケット送信手段を設けるようにしてもよい。この場合、セキュリティの確保という効果は得られないが、接続の維持という効果を得ることはできる。つまり、従来技術であれば、所定時間継続してアクセスポイントに対する通信がないと回線が切断され、再接続をしなければならなかった。これに対し、ダミーパケット送信手段を設けることで、回線接続が維持され、上記の問題を解決することができる。
【０１１９】
(9)上記実施形態では、医療機関として病院を例として説明したが、診療所など、救急車によって患者を搬送する可能性のある機関であれば同様に適用することができる。
【図１】
2011029898.tif 000003
【図２】
2011029898.tif 000004
【図３】
2011029898.tif 000005
【図４】
2011029898.tif 000006
【図５】
2011029898.tif 000007
【図６】
2011029898.tif 000008
【図７】
2011029898.tif 000009
【図８】
2011029898.tif 000010
【図９】
2011029898.tif 000011
【図１０】
2011029898.tif 000012
【図１１】
2011029898.tif 000013
【図１２】
2011029898.tif 000014
【図１３】
2011029898.tif 000015
【図１４】
2011029898.tif 000016